(57)【特許請求の範囲】
【請求項１】
表示手段と、
上記表示手段における表示画面を分割することにより、主表示領域と、筐体上における所定の操作手段の配設場所と対応付けられた複数の副表示領域とからなる操作画面表示領域を生成する生成手段と、
上記主表示領域及び上記複数の副表示領域に対して所定の規則に基づき各種機能に対応した複数の操作画面をそれぞれ表示し、上記所定の操作手段に対して行われた操作に応じて上記副表示領域に表示中の上記操作画面と主表示領域に表示中の上記操作画面とを切り替えて表示する制御手段と
を具えることを特徴とする携帯型情報処理装置。
【請求項２】
上記制御手段は、上記副表示領域に表示する上記操作画面をアイコンとして表示する
ことを特徴とする請求項１に記載の携帯型情報処理装置。
【請求項３】
表示手段における表示画面を分割することにより、主表示領域と、筐体上における所定の操作手段の配設場所と対応付けられた複数の副表示領域とからなる操作画面表示領域を生成する生成ステップと、
上記主表示領域及び上記複数の副表示領域に対して所定の規則に基づき各種機能に対応した複数の操作画面をそれぞれ表示し、上記所定の操作手段に対して行われた操作に応じて上記副表示領域に表示中の上記操作画面と主表示領域に表示中の上記操作画面とを切り替えて表示する制御ステップと
を具えることを特徴とする操作画面表示制御方法。
【請求項４】
上記制御ステップは、上記副表示領域に表示する上記操作画面をアイコンとして表示する
ことを特徴とする請求項３に記載の操作画面表示制御方法。
【発明の詳細な説明】
【０００１】
【発明の属する技術分野】
本発明は携帯型情報処理装置及び操作画面表示制御方法に関し、例えば携帯電話機に適用して好適なものである。
【０００２】
【従来の技術】
従来、携帯電話機においては、例えば予めインストールされている電子メールプログラム等の各種アプリケーションプログラムに基づいて各種機能を提供しており、所定の操作を介してユーザが希望する機能が選択されると、当該選択された機能の操作画面を表示部に表示するようになされている。
【０００３】
【発明が解決しようとする課題】
ところでかかる構成の携帯電話機においては、今後種々の機能が増える傾向にあり、現状の表示部に１つの操作画面のみを表示する構造では、複数の操作画面を同時に表示することができず、かくしてユーザに対し複数の機能を同時に利用させ得ない。
【０００４】
従ってかかる構成の携帯電話機において、複数の機能を利用して作業を行う場合、次に利用を希望する機能の操作画面を表示部に表示する前に、現在利用している操作画面を一度終了する必要があるため、操作画面の切替え作業が煩雑となる問題があった。
【０００５】
本発明は以上の点を考慮してなされたもので、複数の機能を同時に利用可能とした上で操作画面を簡易な操作で切替え得る携帯型情報処理装置及び操作画面表示制御方法を提案しようとするものである。
【０００６】
【課題を解決するための手段】
かかる課題を解決するために本発明においては、表示部の表示画面を分割することにより、主表示領域と、筐体上における所定の操作手段の配設場所と対応付けられた複数の副表示領域とからなる操作画面表示領域を生成した後、主表示領域及び複数の副表示領域に対して所定の規則に基づき各種機能に対応した複数の操作画面をそれぞれ表示し、所定の操作手段に対して行われた操作に応じて副表示領域に表示中の操作画面と主表示領域に表示中の操作画面とを切り替えて表示するようにした。
【０００７】
ユーザは表示部に表示された複数の操作画面の中から次に利用を希望する機能の操作画面を容易に特定し得ると共に、直感的且つ簡易な操作で特定した操作画面と現在使用中の操作画面とを切替えることができる。
【０００８】
【発明の実施の形態】
以下図面について、本発明の一実施の形態を詳述する。
【０００９】
（１）携帯電話機の外観構成
図１において、１は全体として本発明による携帯型情報処理装置としての携帯電話機を示し、中央のヒンジ部２を境に上側筐体３と下側筐体４とに分けられており、当該ヒンジ部２を介して折り畳み可能に形成されている。
【００１０】
上側筐体３においては、その背面における上端右側に、送受信用のアンテナ５が引出及び収容可能な状態に取り付けられており、当該アンテナ５を介して基地局（図示せず）との間で無線通信するようになされている。
【００１１】
また上側筐体３の正面上端にはスピーカ６が設けられているとともに、正面中央には液晶ディスプレイ等でなる表示手段としての表示部７が設けられており、当該表示部７には電子メール機能等の各種機能の操作画面や、電波の受信状態、バッテリ残量、現在日時等を表示し得るようになされている。
【００１２】
一方、下側筐体４においては、その表面中央部には、「０」〜「９」、「＃」及び「＊」キーからなるテンキー８が設けられていると共に、当該テンキー８の上部には、携帯電話機１の電源のＯＮ／ＯＦＦ命令や終話命令等を入力するための電源／終話キー９と、発信命令等を入力するための通話キー１０とが設けられている。
【００１３】
また下側筐体４の表面上端中央部には、回転操作及び押下操作可能なジョグダイヤル１１が設けられていると共に、当該ジョグダイヤル１１の両隣には左方向キー１２及び右方向キー１３が設けられている。
【００１４】
そして下側筐体４の表面上端部左側には、機能選択メニューボックス（後述する）を表示部７に表示するためのメニューキー１４が設けられており、その表面上端部右側には、操作画面の表示を終了するための終了キー１５が設けられている。
【００１５】
そして携帯電話機１においては、例えばメニューキー１４が押下操作されることによって表示部７に機能選択メニューボックスを表示した後、ジョグダイヤル１１が回転操作されることによって当該機能選択メニューボックスに選択項目として一覧表示されている複数の機能名称項目からユーザ所望の機能名称が選択された状態で、当該ジョグダイヤル１１が押下操作されたことを認識すると、当該機能名称項目に対応する機能の操作画面を表示部７に表示するようになされている。
【００１６】
ここでジョグダイヤル１１においては、図２に示すように当該ジョグダイヤル１１を構成する円柱形状の回転操作子１１Ａが、下側筐体４の表面から僅かに突出した状態、すなわちユーザの親指等によって容易に回転操作及び押下操作し得るような状態で取り付けられている。
【００１７】
このジョグダイヤル１１は、回転操作子１１Ａが回転操作される度に内部のロータリエンコーダを介して回転操作に連動した回転パルスを発生することにより内部の回路に回転操作量を通知すると共に、回転操作子１１Aが押下操作される度にプッシュスイッチ１１Ｂを介してこれを内部の回路に通知する。
【００１８】
ここで回転操作子１１Ａにおいては、所定回転角度毎に軽い引っ掛かり（以下、これを回転クリックと呼ぶ）を生じると共に、１回転クリック回転操作される毎に回転パルスを１パルス発生するようになされている。これにより携帯電話機１は、ジョグダイヤル１１の回転操作量をユーザに対して触感を通じて確実に認識させることができる。
【００１９】
なお下側筐体４には、その表面下部にマイクロホン１６が設けられており、当該マイクロホン１６によってユーザの音声を集音するようになされている。
【００２０】
また下側筐体４の背面側には、図示しないバッテリパックが装着されており、電源／終話キー９の操作によって電源が投入されると、当該バッテリパックから内部の回路ブロックに対して電力を供給し、携帯電話機１を動作可能な状態に起動するようになされている。
【００２１】
（２）携帯電話機の回路構成
次に、携帯電話機１の回路構成について図３を用いて説明する。
【００２２】
携帯電話機１においては、当該携帯電話機１全体を統括的に制御するＣＰＵ（Central Processing Unit）２０に対し、制御ライン２１を介してワークエリアとしてのＲＡＭ（Random Access Memory）２２、ＲＯＭ（Read Only Memory）２３、テンキー８と電源／終話キー９と通話キー１０とジョグダイヤル１１と左方向キー１２と右方向キー１３とメニューキー１４と終了キー１５とからなる操作入力部２４及び通信処理部２５が接続されて構成されている。またＣＰＵ２０、ＲＡＭ２２、ＲＯＭ２３、表示部７、通信処理部２５、スピーカ６及びマイクロホン１６はデータライン２６を介して互いに接続されている。
【００２３】
因みにＲＯＭ２３には、基本プログラム及び操作画面の表示処理を制御するための操作画面表示制御プログラム（後述する）等が格納されている。
【００２４】
加えてＲＯＭ２３には、アプリケーションプログラムとして、電子メールプログラム、Ｗｅｂブラウザプログラム、ユーザの現在位置を通知する機能を提供するためのＧＰＳナビゲーションプログラム、メモ帳プログラム等も格納されている。
【００２５】
ＣＰＵ２０は、ＲＯＭ２３に格納された各種プログラムを適宜読み出し、これをＲＡＭ２２に展開して実行することにより、携帯電話機１の各回路部を制御して各種処理を実行するようになされている。
【００２６】
例えばＣＰＵ２０は基本プログラムに従い、操作入力部２４を介して入力された操作命令に応じて通信処理部２５を制御することにより、発呼処理や終話処理等の各種通信処理を実行する。
【００２７】
またＣＰＵ２０は、操作入力部２４を介してユーザが希望する機能（例えば、電子メール機能）が選択されたことを認識すると、これに応じたアプリケーションプログラム（この場合、電子メールプログラム）に従って、当該機能を実現するための処理を実行するようになされている。
【００２８】
（３）操作画面表示制御機能
（３−１）操作画面の表示遷移
ここでＣＰＵ２０は、操作入力部２４を介し所定の操作が行われることによってユーザが利用を希望する機能が選択されたことを認識すると、操作画面表示制御プログラムに従って操作画面表示制御処理（後述する）を実行することにより、選択された機能に関する操作画面を適切に配置して表示部７に表示するようになされている。
【００２９】
例えばＣＰＵ２０は電源／終話キー９の押下操作により携帯電話機１の電源が投入されると、他の携帯電話機からの着信や当該携帯電話機１のユーザによって行われる各種操作を待受ける待受け状態へ移行すると共に、図４に示すような待受け画面１００を表示部７に表示する。
【００３０】
この待受け画面１００の基本情報表示部１０１には、電波の受信状態及びバッテリ残量を示すアイコンが表示されており、操作画面表示部１０２には、各種機能の操作画面が表示されるようになされている。但し、この場合待受け画面１００においては、現在待受け状態にあるため、その旨をユーザに対して認識させる一例として日時情報等が表示されている。
【００３１】
ＣＰＵ２０は、待受け画面１００を表示した状態でメニューキー１４が押下操作されたことを認識すると、図５に示すように、電子メール機能等の各種機能を選択するための機能選択メニューボックス１０３を操作画面表示部１０２上にポップアップ表示する。
【００３２】
この機能選択メニューボックス１０３には、各種機能の名称が選択項目として一覧表示されており、ＣＰＵ２０はジョグダイヤル１１の回転操作に応じてカーソル１０３Ａを移動させることにより特定機能の名称をユーザに対し選択させ得るようになされていると共に、当該カーソル１０３Ａによって選択された機能名称をユーザによるジョグダイヤル１１の押下操作によって選択決定することにより、当該機能名称に対応する機能の操作画面を表示部７に表示するようになされている。
【００３３】
そしてＣＰＵ２０は、ジョグダイヤル１１を介して例えば機能選択メニューボックス１０３における「電子メール」項目が選択決定されると、当該選択決定操作を電子メール機能の操作画面の表示命令（以下、これを操作画面表示命令と呼ぶ）として認識する。
【００３４】
実際上、ＣＰＵ２０は操作画面表示制御プログラムに従い、表示すべき１つ又は複数の操作画面を適切に配置した状態で表示部７上に表示するようになされている。例えばＣＰＵ２０は、操作画面を全く表示していない状態から新たに電子メール機能の操作画面を１つ追加して表示するための操作画面表示命令が与えられると、これに応じて図６に示すように、操作画面表示部１０２上に１つの操作画面を表示するための操作画面表示領域１０４（破線で示す）を確保した後、当該操作画面表示命令に応じた１つ目の操作画面を確保した操作画面表示領域１０４に表示するようになされている。
【００３５】
従ってＣＰＵ２０は、待受け画面１００を表示した状態（図４）で電子メールの操作画面表示命令が与えられると、これに応じて図７に示すように、操作画面表示領域１０４に電子メール操作画面１０５を表示する。
【００３６】
ここでＣＰＵ２０は、操作画面表示領域１０４に表示した各種操作画面をユーザの操作対象として認識するようになされている。従って、この場合ユーザは、操作画面表示領域１０４に表示された電子メール操作画面１０５に対して各種操作命令や操作情報を入力することができる。
【００３７】
次にＣＰＵ２０は、電子メール操作画面１０５を表示した状態でメニューキー１４が押下操作されたことを認識すると、図８に示すように、機能選択メニューボックス１０３を電子メール操作画面１０５上にポップアップ表示する。
【００３８】
そしてＣＰＵ２０は、ジョグダイヤル１１を介して例えば機能選択メニューボックス１０３における「Ｗｅｂブラウザ」項目が選択決定されると、当該選択決定操作をＷｅｂブラウザ機能の操作画面表示命令として認識する。
【００３９】
実際上、ＣＰＵ２０は操作画面表示制御プログラムに従い、例えば１つ目の電子メール操作画面１０５を表示している状態で、新たに追加して２つ目のＷｅｂブラウザ機能の操作画面を表示するように操作画面表示命令が与えられると、これに応じて図９に示すように、表示部７の操作画面表示部１０２を分割することにより、第一表示領域１０６と、当該第一表示領域１０６より横幅が短い第二表示領域１０７と、当該第二表示領域１０７より横幅が短い第三表示領域１０８とを設けて操作画面表示領域１０４を再構成した後、１つ目の電子メール操作画面１０５を新たに確保した第二表示領域１０７に移して表示すると共に、当該操作画面表示命令に応じた２つ目のＷｅｂブラウザ機能の操作画面を第一表示領域１０６に表示する。
【００４０】
従ってＣＰＵ２０は、電子メール操作画面１０５のみを表示した状態（図８）でＷｅｂブラウザの操作画面表示命令が与えられると、これに応じて図１０に示すように、これまで第一表示領域１０６に表示していた電子メール操作画面１０５を第二表示領域１０７に移して表示すると共に、当該操作画面表示命令に応じたＷｅｂブラウザ操作画面１０９を第一表示領域１０６に表示する。
【００４１】
因みにＣＰＵ２０は、第一表示領域１０６に表示した各種操作画面をユーザの操作対象として認識するようになされている。従って、この場合ユーザは、第一表示領域１０６に表示されたＷｅｂブラウザ操作画面１０９に対して各種操作命令や操作情報を入力することができる。
【００４２】
また図１０や、後述する図１３、１８及び２０においては、説明の便宜上、表示部７に表示される各種操作画面と、ジョグダイヤル１１、左方向キー１２及び右方向キー１３とを合わせて図示する。
【００４３】
ＣＰＵ２０は電子メール操作画面１０５及びＷｅｂブラウザ操作画面１０９を表示した状態（図１０）で、左方向キー１２が所定の期間長く押下操作（以下、これを長押操作と呼ぶ）されることにより第二表示領域１０７に表示している電子メール操作画面１０５を切替先操作画面として認識すると、これに応じて図１１に示すように、Ｗｅｂブラウザ操作画面１０９と電子メール操作画面１０５との表示領域を切替えることにより、切替先操作画面として認識した電子メール操作画面１０５を第一表示領域１０６に表示する。
【００４４】
このように携帯電話機１においては、当該携帯電話機１筐体上における左方向キー１２の配設場所（下側筐体４の表面上端中央部より左側（図１））と位置的に対応した表示部７の表示画面の左側に第二表示領域１０７が設けられていることにより、ユーザは直感的な操作で第二表示領域１０７に表示中の電子メール操作画面１０５を切替先操作画面として指定することができる。
【００４５】
更に携帯電話機１においては、第二表示領域１０７に表示中の操作画面を切替先操作画面として認識する処理と、左方向キー１２の長押操作とが対応付けられていることにより、ユーザは簡易な操作で第二表示領域１０７に表示中の電子メール操作画面１０５を切替先操作画面として指定することができる。
【００４６】
またＣＰＵ２０は、電子メール操作画面１０５及びＷｅｂブラウザ操作画面１０９を表示した状態（図１０）で、メニューキー１４が押下操作されると、図１２に示すように機能選択メニューボックス１０３をＷｅｂブラウザ操作画面１０９上にポップアップ表示するようになされており、例えばジョグダイヤル１１を介して当該機能選択メニューボックス１０３における「ＧＰＳナビゲーション」項目が選択決定されると、当該選択決定操作をＧＰＳナビゲーション機能の操作画面表示命令として認識する。
【００４７】
実際上、ＣＰＵ２０は操作画面表示制御プログラムに従い、例えば電子メール操作画面１０５及びＷｅｂブラウザ操作画面１０９を表示した状態（図１０）で、新たに追加して３つ目のＧＰＳナビゲーション機能の操作画面を表示するように操作画面表示命令が与えられると、これに応じて図１３に示すように、１つ目の電子メール操作画面１０５を第三表示領域１０８へ移して表示し、２つ目のＷｅｂブラウザ操作画面１０９を第二表示領域１０７へ移して表示すると共に、当該操作画面表示命令に応じた３つ目のＧＰＳナビゲーション機能の操作画面（ＧＰＳナビゲーション操作画面１１０）を第一表示領域１０６に表示するようになされている。
【００４８】
このように携帯電話機１においては、所定の順序、すなわち表示部７に表示するように命令された順序に基づいて２つ又は３つの操作画面をそれぞれ第一表示領域１０６、第二表示領域１０７及び第三表示領域１０８に表示するようにしたことにより、ユーザはそれぞれの操作画面がどこに表示されているか容易に把握することができる。
【００４９】
そして図１３に示す状態においてＣＰＵ２０は、左方向キー１２が長押操作されることにより第二表示領域１０７に表示しているＷｅｂブラウザ操作画面１０９を切替先操作画面として認識すると、これに応じて図１４に示すように、ＧＰＳナビゲーション操作画面１１０とＷｅｂブラウザ操作画面１０９との表示領域を切替えることにより、切替先操作画面として認識したＷｅｂブラウザ操作画面１０９を第一表示領域１０６に表示する。
【００５０】
これに対して図１３に示す状態においてＣＰＵ２０は、右方向キー１３が長押操作されることによって第三表示領域１０８に表示している電子メール操作画面１０５を切替先操作画面として認識すると、これに応じて図１５に示すように、ＧＰＳナビゲーション操作画面１１０と電子メール操作画面１０５との表示領域を切替えることにより、切替先操作画面として認識した電子メール操作画面１０５を第一表示領域１０６に表示する。
【００５１】
このように携帯電話機１においては、当該携帯電話機１筐体上における右方向キー１３の配設場所（下側筐体４の表面上端中央部より右側（図１））と位置的に対応した表示部７の表示画面の右側に第三表示領域１０８が設けられていることにより、ユーザは直感的な操作で第三表示領域１０８に表示中の操作画面を切替先操作画面として指定することができる。
【００５２】
更に携帯電話機１においては、第三表示領域１０８に表示中の操作画面を切替先操作画面として認識する処理と、右方向キー１３の長押操作とが対応付けられていることにより、ユーザは簡易な操作で第三表示領域１０８に表示中の操作画面を切替先操作画面として指定することができる。
【００５３】
一方図１３に示す状態においてＣＰＵ２０は、終了キー１５が押下操作されたことを認識すると、これに応じてこれまで第一表示領域１０６に表示していたＧＰＳナビゲーション操作画面１１０の表示を終了することにより、図１０に示す状態に戻る。
【００５４】
また図１３に示す状態においてＣＰＵ２０は、メニューキー１４が押下操作されたことを認識すると、図１６に示すように機能選択メニューボックス１０３をＧＰＳナビゲーション操作画面１１０上にポップアップ表示するようになされており、ジョグダイヤル１１を介して当該機能選択メニューボックス１０３における「メモ帳」項目が選択決定されると、当該選択決定操作をメモ帳機能の操作画面表示命令として認識する。
【００５５】
実際上、ＣＰＵ２０は操作画面表示制御プログラムに従い、例えば電子メール操作画面１０５、Ｗｅｂブラウザ操作画面１０９及びＧＰＳナビゲーション操作画面１１０を表示している状態で、新たに追加して４つ目のメモ帳機能の操作画面を表示するように操作画面表示命令が与えられると、これに応じて図１７に示すように、第三表示領域１０８を所定の間隔で分割することによってアイコン表示領域Ａ（０）〜Ａ（４）を設けた状態、すなわち２つの操作画面と５個のアイコンを表示し得るような状態で操作画面表示領域１０４を再構成する。
【００５６】
そしてＣＰＵ２０は、図１８に示すように、１つ目の電子メール操作画面１０５及び２つ目のＷｅｂブラウザ操作画面１０９をそれぞれ新たに確保したアイコン表示領域Ａ（１）及びアイコン表示領域Ａ（０）に電子メールアイコン１１２及びＷｅｂブラウザアイコン１１１として表示すると共に、３つ目のＧＰＳナビゲーション操作画面１１０を第二表示領域１０７に移して表示し、当該操作画面表示命令に応じた４つ目のメモ帳機能の操作画面（メモ帳操作画面１１３）を第一表示領域１０６に表示するようになされている。
【００５７】
このように携帯電話機１においては表示部７全体の表示領域の大きさに制限があるため、当該表示部７に表示すべき操作画面数が４つ以上となると、最近表示した２つの操作画面を除く残りの操作画面をアイコン化して表示することにより、ユーザの操作対象となる操作画面の見易さを低下させることなく、より多くの操作画面を同時に表示し得るようになされている。
【００５８】
そして、図１８に示す状態においてＣＰＵ２０は、左方向キー１２が長押操作されることにより第二表示領域１０７に表示しているＧＰＳナビゲーション操作画面１１０を切替先操作画面として認識すると、これに応じて図１９に示すように、ＧＰＳナビゲーション操作画面１１０とメモ帳操作画面１１３との表示領域を切替えることにより、切替先操作画面として認識したＧＰＳナビゲーション操作画面１１０を第一表示領域１０６に表示する。
【００５９】
一方、図１８に示す状態においてＣＰＵ２０は、右方向キー１３が長押操作されたことを認識すると、これに応じて図２０に示すように第一表示領域１０６の右側に設けられているアイコン表示領域Ａ（０）〜Ａ（４）のうちアイコン選択領域Ａ（０）に表示されているアイコン上にアイコン選択カーソル１１４を表示する。
【００６０】
アイコン選択カーソル１１４においては、ジョグダイヤル１１の回転操作応じた方向へ移動することによりユーザに対し任意のアイコンを選択させ得るようになされている共に、当該選択されたアイコンをジョグダイヤル１１の押下操作によって選択決定し得るようになされている。
【００６１】
そしてＣＰＵ２０は、ジョグダイヤル１１が回転操作されることによって例えばアイコン表示領域Ａ（１）に表示されている電子メールアイコン１１２が選択された後、ジョグダイヤル１１が押下操作されることによって当該電子メールアイコン１１２が選択決定されると、当該選択決定された電子メールアイコン１１２に対応する電子メール操作画面１０５を切替先操作画面として認識する。
【００６２】
次にＣＰＵ２０は、電子メール操作画面１０５を切替先操作画面として認識すると、これに応じて図２１に示すように、これまでアイコン表示領域Ａ（１）に表示していた電子メールアイコン１１２の表示を終了した後電子メール操作画面１０５を第一表示領域１０６に表示し、アイコン表示領域Ａ（０）に表示していたＷｅｂブラウザアイコン１１１をアイコン表示領域Ａ（１）に移して表示すると共に、第一表示領域１０６に表示していたメモ帳操作画面１１３を第二表示領域１０７に移して表示し、第二表示領域１０７に表示していたＧＰＳナビゲーション操作画面１１０の表示を終了した後ＧＰＳナビゲーションアイコン１１５をアイコン表示領域Ａ（０）に表示する。
【００６３】
ここで携帯電話機１においては、図２０に示すようにアイコン表示領域Ａ（０）〜Ａ（４）をジョグダイヤル１１の回転方向と同一方向に並べて配置することにより、ユーザに対してアイコン表示領域Ａ（０）〜Ａ（４）に表示されている複数のアイコンの中から所望のアイコンを容易に選択させ得ることができる。
【００６４】
一方図１８に示す状態においてＣＰＵ２０は、終了キー１５が押下操作されたことを認識すると、これに応じてこれまで第一表示領域１０６に表示していたメモ帳操作画面１１３の表示を終了することにより、図１３に示す状態に戻る。
【００６５】
更に図１８に示す状態においてＣＰＵ２０は、メニューキー１４が押下操作されたことを認識すると、図２２に示すように機能選択メニューボックス１０３をメモ帳操作画面１１３上にポップアップ表示するようになされており、ジョグダイヤル１１を介して機能選択メニューボックス１０３における「通話」項目が選択決定されと、当該選択操作を通話機能の操作画面表示命令として認識し、これに応じて図２３に示すように、これまでアイコン表示領域Ａ（０）及びアイコン表示領域Ａ（１）に表示していたＷｅｂブラウザアイコン１１１及び電子メールアイコン１１２をそれぞれアイコン表示領域Ａ（１）及びアイコン表示領域Ａ（２）に移して表示し、第二表示領域１０７に表示していたＧＰＳナビゲーション操作画面１１０の表示を終了した後ＧＰＳナビゲーションアイコン１１５をアイコン表示領域Ａ（０）に表示すると共に、第一表示領域１０６に表示していたメモ帳操作画面１１３を第二表示領域１０７へ移して表示し、当該操作画面表示命令に応じた通話操作画面１１６を第一表示領域１０６に表示する。
【００６６】
このように携帯電話機１においては、第一表示領域１０６に通話操作画面１１６を表示した状態で通話処理を開始していたとしても、左方向キー１２を長押操作すると、図２４に示すように通話操作画面１１６の表示を終了することなくメモ帳操作画面１１３を操作対象として第一表示領域１０６に切替えて表示させることができ、かくして通話処理を継続させたままメモ帳操作画面１１３に対して文章を作成する等、複数機能を同時に利用し得るようになされている。
【００６７】
（３−２）操作画面表示制御処理
次に、上述した操作画面の表示制御を行うための処理手順を、図２５、２６、２７、２８及び２９に示すフローチャートを用いて詳細に説明する。
【００６８】
ＣＰＵ２０は、電源／終話キー９が押下されて携帯電話機１の電源が投入されると待受け状態に移行すると共に、操作画面表示制御プログラムに従って、図２５に示す操作画面表示制御処理手順ＲＴ１をステップＳＰ１から開始する。
【００６９】
ステップＳＰ１においてＣＰＵ２０は、待受け画面１００を表示部７に表示した状態（図４）で操作画面表示命令が与えられるのを待ち受けており、ジョグダイヤル１１を介し例えば電子メール機能の操作画面表示命令が与えられたことを認識すると、次のステップＳＰ２へ移る。
【００７０】
ステップＳＰ２においてＣＰＵ２０は、表示部７に表示中の操作画面数が０であるため、図６に示すように、操作画面表示領域１０４のみを設けた状態で表示部７の操作画面表示部１０２を構成した後、図７に示すように、当該操作画面表示領域１０４に電子メール操作画面１０５を表示して、次のステップＳＰ３へ移る。
【００７１】
ステップＳＰ３においてＣＰＵ２０は、操作画面表示領域１０４に表示した電子メール操作画面１０５をユーザの操作対象として設定し、次のステップＳＰ４へ移る。
【００７２】
ここでＣＰＵ２０は、操作画面表示領域１０４に表示した電子メール操作画面１０５をユーザの操作対象として設定することにより、今後、テンキー８やジョグダイヤル１１等を介して与えられる各種操作命令や操作情報を、電子メール操作画面１０５に対して入力された情報として認識し得るようになされている。
【００７３】
ステップＳＰ４においてＣＰＵ２０は、１つの操作画面を表示部７に表示した状態（図７）で新たな操作画面表示命令が与えられたか否かを判断し、ここで否定結果が得られると、このことは新たな操作画面を表示部７に表示する所定の操作が未だ行われていないことを表しており、次のステップＳＰ５へ移る。
【００７４】
ステップＳＰ５においてＣＰＵ２０は、終了キー１５が押下操作されたか否かを判断し、ここで肯定結果が得られると、このことは操作画面表示領域１０４に表示している操作画面の表示を終了するように命令が与えられたことを表しており、次のステップＳＰ６へ移る。
【００７５】
ステップＳＰ６においてＣＰＵ２０は、操作画面表示領域１０４に表示中の電子メール操作画面１０５の表示を終了して待受け画面１００（図４）を表示部７に表示し、上述のステップＳＰ１に戻る。
【００７６】
これに対しステップＳＰ５において否定結果が得られると、このことは操作画面表示領域１０４に表示している操作画面の表示を終了するように命令が与えられなかったこと表しており、上述のステップＳＰ４へ戻る。
【００７７】
一方ステップＳＰ４において肯定結果が得られると、このことはユーザによって新たな操作画面を表示するための所定の操作が行われたことを表しており、例えばＷｅｂブラウザ機能の操作画面表示命令が与えられたことを認識すると、次のステップＳＰ７へ移る。
【００７８】
ステップＳＰ７においてＣＰＵ２０は、例えばＷｅｂブラウザ機能の操作画面表示命令が与えられると、既に表示されている操作画面と合わせて２つの操作画面を表示すべきと判断し、図９に示すように、表示部７の操作画面表示部１０２を分割することにより、第一表示領域１０６、第二表示領域１０７及び第三表示領域１０８を設けるようにして操作画面表示領域１０４を再構成した後、図１０に示すように、電子メール操作画面１０５を第一表示領域１０６から第二表示領域１０７へ移して表示すると共に、操作画面表示命令に応じて新たに表示するＷｅｂブラウザ操作画面１０９を第一表示領域１０６に表示するようにして、次のステップＳＰ８（図２６）へ移る。
【００７９】
ステップＳＰ８においてＣＰＵ２０は、第一表示領域１０６に表示したＷｅｂブラウザ操作画面１０９をユーザの操作対象として認識し、次のステップＳＰ９へ移る。
【００８０】
ステップＳＰ９においてＣＰＵ２０は、左方向キー１２が長押操作されたか否かを判断し、ここで肯定結果が得られると、このことは第二表示領域１０７に表示している電子メール操作画面１０５が切替先操作画面として指定されたことを表しており、次のステップＳＰ１０へ移る。
【００８１】
ステップＳＰ１０においてＣＰＵ２０は、図１１に示すように、これまで第一表示領域１０６に表示していたＷｅｂブラウザ操作画面１０９と第二表示領域１０７に表示していた電子メール操作画面１０５との表示領域を切替えて、上述のステップＳＰ８へ戻る。
【００８２】
これに対しステップＳＰ９において否定結果が得られると、このことは第二表示領域１０７に表示されている電子メール操作画面１０５が切替先操作画面として指定されなかったことを表しており、このときＣＰＵ２０は、次のステップＳＰ１１へ移る。
【００８３】
ステップＳＰ１１においてＣＰＵ２０は、２つの操作画面を表示部７に表示した状態（図１０）で操作画面表示命令が与えられたか否かを判断し、ここで否定結果が得られると、このことは新たな操作画面を表示部７に表示する所定の操作が未だ行われていないことを表しており、次のステップＳＰ１２へ移る。
【００８４】
ステップＳＰ１２においてＣＰＵ２０は、終了キー１５が押下操作されたか否かを判断し、ここで肯定結果が得られると、このことは第一表示領域１０６に表示している操作画面の表示を終了する命令が与えられたことを表しており、次のステップＳＰ１３へ移り、第一表示領域１０６に表示していたＷｅｂブラウザ操作画面１０９の表示を終了することにより図７に示す状態に戻って、上述のステップＳＰ３へ移る。
【００８５】
これに対しステップＳＰ１２において否定結果が得られると、このことは第一表示領域１０６に表示している操作画面の表示を終了する命令が与えられなかったこと表しており、このときＣＰＵ２０は、上述のステップＳＰ９へ戻る。
【００８６】
一方ステップＳＰ１１において肯定結果が得られると、このことは新たな操作画面を表示部７に表示する所定の操作が行われたことを表しており、例えばＧＰＳナビゲーション機能の操作画面表示命令が与えられたことを認識すると、次のステップＳＰ１４へ移る。
【００８７】
ステップＳＰ１４においてＣＰＵ２０は、例えばＧＰＳナビゲーション機能の操作画面表示命令が与えられると、既に表示している操作画面数と合わせて３つの操作画面を表示すべきと判断し、図１３に示すように、電子メール操作画面１０５を第二表示領域１０７から第三表示領域１０８へ移して表示し、Ｗｅｂブラウザ操作画面１０９を第一表示領域１０６から第二表示領域１０７へ移して表示すると共に、操作画面表示命令に応じたＧＰＳナビゲーション操作画面１１０を第一表示領域１０６に表示して、次のステップＳＰ１５（図２７）へ移る。
【００８８】
ステップＳＰ１５においてＣＰＵ２０は、新たに第一表示領域１０６に表示したＧＰＳナビゲーション操作画面１１０をユーザの操作対象として認識し、次のステップＳＰ１６へ移る。
【００８９】
ステップＳＰ１６においてＣＰＵ２０は、左方向キー１２が長押操作されたか否かを判断し、ここで肯定結果が得られると、このことは第二表示領域１０７に表示しているＷｅｂブラウザ操作画面１０９が切替先操作画面として指定されたことを表しており、次のステップＳＰ１７へ移る。
【００９０】
ステップＳＰ１７においてＣＰＵ２０は、図１４に示すように、これまで第一表示領域１０６に表示していたＧＰＳナビゲーション操作画面１１０と第二表示領域１０７に表示していたＷｅｂブラウザ操作画面１０９との表示領域を切替えて表示し、上述のステップＳＰ１５へ戻る。
【００９１】
これに対しステップＳＰ１６において否定結果が得られると、このことは第二表示領域１０７に表示しているＷｅｂブラウザ操作画面１０９が切替先操作画面として指定されなかったことを表しており、このときＣＰＵ２０は、次のステップＳＰ１８へ移る。
【００９２】
ステップＳＰ１８においてＣＰＵ２０は、右方向キー１３が長押操作されたか否かを判断し、ここで肯定結果が得られると、このことは第三表示領域１０８に表示している電子メール操作画面１０５が切替先操作画面として指定されたことを表しており、次のステップＳＰ１９へ移る。
【００９３】
ステップＳＰ１９においてＣＰＵ２０は、図１５に示すように、これまで第一表示領域１０６に表示していたＧＰＳナビゲーション操作画面１１０と第三表示領域１０８に表示していた電子メール操作画面１０５との表示領域を切替えて表示し、上述のステップＳＰ１５へ戻る。
【００９４】
これに対しステップＳＰ１８において否定結果が得られると、このことは第三表示領域１０８に表示している電子メール操作画面１０５が切替先操作画面として指定されなかったことを表しており、このときＣＰＵ２０は、次のステップＳＰ２０へ移る。
【００９５】
ステップＳＰ２０においてＣＰＵ２０は、３つの操作画面を表示部７に表示した状態（図１３）で他の機能の操作画面表示命令が与えられたか否かを判断し、ここで否定結果が得られると、このことは新たな操作画面を表示部７に表示する所定の操作が未だ行われていないことを表しており、次のステップＳＰ２１へ移る。
【００９６】
ステップＳＰ２１においてＣＰＵ２０は、終了キー１５が押下操作されたか否かを判断し、ここで肯定結果が得られると、このことは第一表示領域１０６に表示している操作画面の表示を終了する命令が与えられたことを表しており、次のステップＳＰ２２へ移り、ステップＳＰ２２において、第一表示領域１０６に表示していたＧＰＳナビゲーション操作画面１１０の表示を終了することにより図１０に示す状態に戻って、上述のステップＳＰ８へ戻る。
【００９７】
これに対しステップＳＰ２１において否定結果が得られると、このことは第一表示領域１０６に表示している操作画面の表示を終了する命令が与えられなかったことを表しており、このときＣＰＵ２０は、上述のステップＳＰ１６へ戻る。
【００９８】
一方ステップＳＰ２０において肯定結果が得られると、このことは新たな操作画面を表示部７に表示する所定の操作が行われたことを表しており、例えばメモ帳機能の操作画面表示命令が与えられたことを認識すると、次のステップＳＰ２３へ移る。
【００９９】
ステップＳＰ２３においてＣＰＵ２０は、例えばメモ帳機能の操作画面表示命令が与えられると、既に表示されている操作画面数と合わせて４つの機能の操作画面及びアイコンを表示すべきと判断し、図１７において示すように２つの操作画面と２つのアイコンを表示し得るように操作画面表示領域１０４を再構成した後、図１８において示すように、これまで第三表示領域１０８に表示していた電子メール操作画面１０５及び第二表示領域１０７に表示していたＷｅｂブラウザ操作画面１０９をアイコンとしてアイコン表示領域Ａ（１）及びアイコン表示領域Ａ（０）に移して表示し、第一表示領域１０６に表示していたＧＰＳナビゲーション操作画面１１０を第二表示領域１０７へ移して表示し、操作画面表示命令に応じたメモ帳操作画面１１３を第一表示領域１０６に表示して、次のステップＳＰ２４（図２８）へ移る。
【０１００】
ステップＳＰ２４においてＣＰＵ２０は、新たに第一表示領域１０６に表示したメモ帳操作画面１１３をユーザの操作対象として認識し、次のステップＳＰ２５へ移る。
【０１０１】
ステップＳＰ２５において、左方向キー１２が長押操作されたか否かを判断し、ここで肯定結果が得られると、このことは第二表示領域１０７に表示しているＧＰＳナビゲーション操作画面１１０が切替先操作画面として指定されたことを表しており、次のステップＳＰ２６へ移る。
【０１０２】
ステップＳＰ２６においてＣＰＵ２０は、図１９に示すように、これまで第一表示領域１０６に表示していたメモ帳操作画面１１３と第二表示領域１０７に表示していたＧＰＳナビゲーション操作画面１１０との表示領域を切替えて表示し、上述のステップＳＰ２４へ戻る。
【０１０３】
これに対しステップＳＰ２５において否定結果が得られると、このことは第二表示領域１０７に表示しているＧＰＳナビゲーション操作画面１１０が切替先操作画面として指定されなかったことを表しており、次のステップＳＰ２７へ移る。
【０１０４】
ステップＳＰ２７においてＣＰＵ２０は、右方向キー１３が長押操作されたか否かを判断し、ここで肯定結果が得られると、このことはアイコン表示領域Ａ（０）〜Ａ（４）に表示されているアイコンに対応する操作画面が切替先操作画面として選択される可能性が高いことを表しており、次のサブルーチンＳＲＴ２へ移ってアイコン選択処理（後述する）を実行する。
【０１０５】
これに対し否定結果が得られると、このことはアイコン表示領域Ａ（０）〜Ａ（４）に表示されているアイコンに対応する操作画面が切替先操作画面として選択されないことを表しており、このときＣＰＵ２０は、次のステップＳＰ２８へ移る。
【０１０６】
ステップＳＰ２８においてＣＰＵ２０は、２つの操作画面及び２つのアイコンを表示部７に表示した状態（図１８）で他の機能の操作画面表示命令が与えられたか否かを判断し、ここで否定結果が得られると、このことは新たな操作画面を表示部７に表示する所定の操作が未だ行われていないことを表しており、次のステップＳＰ２９へ移る
【０１０７】
ステップＳＰ２９においてＣＰＵ２０は、終了キー１５が押下操作されたか否かを判断し、ここで肯定結果が得られると、このことは第一表示領域１０６に表示している操作画面の表示を終了するように命令が与えられたことを表しており、次のステップＳＰ３０へ移る。
【０１０８】
ステップＳＰ３０においてＣＰＵ２０は、これまで第一表示領域１０６に表示していたメモ帳操作画面１１３の表示を終了することにより図１３に示す状態に戻って、次のステップＳＰ３１へ移る。
【０１０９】
ステップＳＰ３１においてＣＰＵ２０は、アイコン表示領域Ａ（０）〜Ａ（４）にアイコンを表示しているか否かを判断し、ここで肯定結果が得られると、このことは表示部７に３つの操作画面のみを表示した状態であることを表しており、上述のステップＳＰ１５へ移る。
【０１１０】
これに対しステップＳＰ３１において否定結果が得られると、このことは表示部７に２つの操作画面と複数のアイコンとを表示した状態であることを表しており、このときＣＰＵ２０は、上述のステップＳＰ２４へ戻る。
【０１１１】
一方ステップＳＰ２９において否定結果が得られると、このことは第一表示領域１０６に表示している操作画面の表示を終了するように命令が与えられなかったことを表しており、上述のステップＳＰ２５へ戻る。
【０１１２】
またステップＳＰ２８において肯定結果が得られると、このことは新たな操作画面を表示部７に表示する所定の操作が行われたことを表しており、次のステップＳＰ３２へ移る。
【０１１３】
ステップＳＰ３２においてＣＰＵ２０は、新たなアイコンを表示するためのアイコン表示領域が残存するか否かを判断し、ここで否定結果が得られると、このことはアイコン表示領域Ａ（０）〜Ａ（４）の全てに何らかのアイコンが表示されていることを表しており、次のステップＳＰ３３へ移る。
【０１１４】
ステップＳＰ３３においてＣＰＵ２０は、エラーメッセージを表示部７に表示することによってこれ以上操作画面を表示し得ない旨をユーザに対し通知した後、上述のステップＳＰ２５へ戻る。
【０１１５】
これに対しステップＳＰ３２において肯定結果が得られると、このことはアイコン表示領域Ａ（０）〜Ａ（４）においてアイコンが表示されていないアイコン表示領域が残存していることを表しており、次のステップＳＰ３４へ移る。
【０１１６】
ステップＳＰ３４においてＣＰＵ２０は、例えば上述のステップＳＰ２８において通話機能の操作画面表示命令が与えられたことを認識していると、既に表示している操作画面と合わせて２つの操作画面及び３つのアイコンを表示すべきと判断し、図２３に示すように、これまでアイコン表示領域Ａ（０）及びアイコン表示領域Ａ（１）に表示していたＷｅｂブラウザアイコン１１１及び電子メールアイコン１１２をそれぞれアイコン表示領域Ａ（１）及びアイコン表示領域Ａ（２）に移して表示し、第二表示領域１０７に表示していたＧＰＳナビゲーション操作画面１１０をアイコンとしてアイコン表示領域Ａ（０）に移して表示し、第一表示領域１０６に表示していたメモ帳操作画面１１３を第二表示領域１０７に移して表示すると共に、操作画面表示命令に応じて新たに表示する通話操作画面１１６を第一表示領域１０６に表示した後、上述のステップＳＰ２４へ戻る。
【０１１７】
またＣＰＵ２０は、上述のステップＳＰ２７において肯定結果が得られた場合に実行するアイコン選択処理を、図２９において示すアイコン選択処理手順ＳＲＴ２のステップＳＰ４０から開始する。
【０１１８】
ステップＳＰ４０においてＣＰＵ２０は、図２０に示すように、アイコン選択領域Ａ（０）に表示されているアイコン上にアイコン選択カーソル１１４を表示することにより、ユーザに対し任意のアイコンを選択させ得るようにして、次のステップＳＰ４１へ移る。
【０１１９】
ステップＳＰ４１においてＣＰＵ２０は、ジョグダイヤル１１の回転操作が行われたか否かを判断し、ここで否定結果が得られると、このことはユーザがアイコンの選択操作を行っていないことを表しており、次のステップＳＰ４３へ移る。
【０１２０】
これに対し肯定結果が得られると、このことはユーザがアイコンの選択操作を行っていることを表しており、このときＣＰＵ２０は、次のステップＳＰ４２へ移り、ステップＳＰ４２において、ジョグダイヤル１１の回転操作に応じた方向にアイコン選択カーソル１１４を移動させて、次のステップＳＰ４３へ移る。
【０１２１】
ステップＳＰ４３においてＣＰＵ２０は、ジョグダイヤル１１の押下操作が行われたか否かを判断し、ここで否定結果が得られると、このことはユーザによって選択された任意のアイコンに対する決定操作が行われていないことを表しており、上述のステップＳＰ４１へ戻る。
【０１２２】
これに対し肯定結果が得られると、このことは選択されたアイコンに対し決定操作が行われたことを表しており、このときＣＰＵ２０は次のステップＳＰ４４へ移る。
【０１２３】
ステップＳＰ４４においてＣＰＵ２０は、例えば上述のステップＳＰ４３において電子メールアイコンが選択決定された場合、図２１に示すように、これまでアイコン表示領域Ａ（１）に表示していた電子メールアイコン１１２の表示を終了した後電子メール操作画面１０５を第一表示領域１０６に表示し、アイコン表示領域Ａ（０）に表示していたＷｅｂブラウザアイコン１１１をアイコン表示領域Ａ（１）へ移して表示すると共に、第二表示領域１０７に表示していたＧＰＳナビゲーション操作画面１１０の表示を終了した後ＧＰＳナビゲーションアイコン１１５をアイコン表示領域Ａ（０）に表示し、第一表示領域１０６に表示していたメモ帳操作画面１１３を第二表示領域１０７に移して表示した後、次の終了ステップにおいてアイコン選択処理手順ＳＲＴ２を終了する。
【０１２４】
（４）動作及び効果
以上の構成において、携帯電話機１のＣＰＵ２０は操作画面表示制御プログラムに従い、表示部７に１つの操作画面のみを表示している状態で新たに２つ目の操作画面を表示するための操作画面表示操作が行われると、これに応じて表示部７における操作画面表示部１０２を分割することにより、ユーザの操作対象となる操作画面を表示する第一表示領域１０６と、携帯電話機１筐体上における左方向キー１２及び右方向キー１３の配設場所と位置的に対応付けられた第二表示領域１０７及び第三表示領域１０８とからなる操作画面表示領域１０４を構成した後、新たな２つ目の操作画面及び１つ目の操作画面をそれぞれ第一表示領域１０６及び第二表示領域１０７に表示するようにし、また、この状態で新たに３つ目の操作画面を表示するための操作画面表示操作が行われると、新たな３つ目の操作画面、２つ目の操作画面及び１つ目の操作画面をそれぞれ第一表示領域１０６、第二表示領域１０７及び第三表示領域１０８に表示するようにした。
【０１２５】
従って携帯電話機１においては、所定の順序、すなわち操作画面表示操作が行われた順序に基づいて２つ又は３つの操作画面を配置することにより、ユーザに対してそれぞれの操作画面をどこに表示しているか把握させることができ、かくして表示部７に表示されている複数の操作画面の中から次に利用を希望する操作画面をユーザに対して容易に特定させることができる。
【０１２６】
また携帯電話機１において、ＣＰＵ２０は、第二表示領域１０７と位置的に対応している左方向キー１２に対し長押操作が行われると、当該第二表示領域１０７に表示中の操作画面を切替先操作画面として認識した後これと第一表示領域１０６に表示中の操作画面との表示領域を切替え、また第三表示領域１０８と位置的に対応している右方向キー１３に対し長押操作が行われると、当該第三表示領域に表示中の操作画面を切替先操作画面として認識した後これと第一表示領域１０６に表示中の操作画面との表示領域を切替えるようにしたことにより、ユーザは、直感的且つ簡易な操作で任意の操作画面を切替先操作画面として指定することができるため、次に利用を希望する操作画面を特定することができていれば、当該操作画面と現在使用中の操作画面との表示領域を容易に切替えることができる。
【０１２７】
またＣＰＵ２０は、表示部に３つの操作画面を表示している状態で新たに４つ目の操作画面を表示するための操作画面表示操作が行われると、第一表示領域１０６及び第二表示領域１０７と、ジョグダイヤル１１の回転方向と同一方向に配置したアイコン表示領域Ａ（０）〜（４）とを設けることにより表示部７における操作画面表示領域１０４を再構成した後、新たな４つ目の操作画面及び３つ目の操作画面をそれぞれ第一表示領域１０６及び第二表示領域１０７に表示すると共に、２つ目の操作画面及び１つ目の操作画面をアイコンとしてそれぞれアイコン表示領域Ａ（０）及びアイコン表示領域Ａ（１）に表示するようにした。
【０１２８】
従って携帯電話機１においては、４つ以上の操作画面を表示部に表示する場合、最近表示した２つの操作画面を除く他の操作画面をアイコンとして表示するようにしたことにより、表示部７の表示領域を効率的に使用することができ、かくしてユーザの操作対象となる操作画面の見易さを低下させることなく、より多くの操作画面を同時に表示し得るようになされている。
【０１２９】
また携帯電話機１においては、任意のアイコンをジョグダイヤル１１の回転操作によって選択させるため、ジョグダイヤル１１の回転方向と同一方向にアイコン表示領域Ａ（０）〜（４）を設けることにより、当該アイコン表示領域Ａ（０）〜（４）に表示されている複数のアイコンの中から所望のアイコンを簡易な操作で選択させ得るようになされている。
【０１３０】
以上の構成によれば携帯電話機１は、複数の操作画面を表示部７に表示する際、当該表示部７における操作画面表示部１０２を分割することにより、第一表示領域１０６と、下側筐体４上における左方向キー１２及び右方向キー１３の配設場所と対応付けられた第二表示領域１０７及び第三表示領域１０８とからなる操作画面表示領域１０４を構成した後、第一表示領域１０６、第二表示領域１０７及び第三表示領域１０８に対して所定の順序に基づき各種機能に対応する複数の操作画面をそれぞれ表示し、左方向キー１２又は右方向キー１３に対して行われた操作に応じて第二表示領域１０７又は第三表示領域１０８に表示中の操作画面と第一表示領域１０６に表示中の操作画面とを切替えるようにしたことにより、ユーザは表示部７に表示された複数の操作画面の中から次に利用を希望する機能の操作画面を容易に特定し得ると共に、当該特定した操作画面と現在使用中の操作画面とを複雑な操作を行うことなく直感的に切替えることができる。
【０１３１】
（５）他の実施の形態
なお上述の実施の形態においては、生成手段及び制御手段としてのＣＰＵ２０が、左方向キー１２及び右方向キー１３と対応付けられた２つの第二表示領域１０７及び第三表示領域１０８と、第一表示領域１０６とを設けることにより操作画面表示領域１０４を構成する場合について述べたが、携帯電話機１筐体上の所定の操作手段と対応付けられた１つ又は３つ以上の表示領域と、第一表示領域１０６とを設けることにより操作画面表示領域１０４を構成するようにしても良い。
【０１３２】
また上述の実施の形態においては、ＣＰＵ２０が、１つ目の操作画面を表示部７に表示している状態で２つ目の操作画面を表示するように操作画面表示操作が行われると、これに応じて３つの表示領域（すなわち、第一表示領域１０６、第二表示領域１０７及び第三表示領域１０８）を設ける場合について述べたが、本発明はこれに限らず、例えば１つ目の操作画面を表示部７に表示している状態で２つ目の操作画面を表示するように操作画面表示操作が行われると、これに応じて２つの表示領域を設ける等、表示すべき操作画面の数に応じた表示領域を適宜設けるようにしても良い。
【０１３３】
さらに上述の実施の形態においては、左方向キー１２及び右方向キー１３と第二表示領域１０７及び第三表示領域１０８とを対応付けるようにした場合について述べたが、本発明はこれに限らず、表示部７上における第二表示領域１０７及び第三表示領域１０８の表示部分と位置的に対応付けることが可能な場所に配設されていれば、テンキー８等その他種々の操作手段と第二表示領域１０７及び第三表示領域１０８とを対応付けるようにしても良い。
【０１３４】
さらに上述の実施の形態においては、ＣＰＵ２０が、操作画面表示操作が行われた順番に基づいて、複数の操作画面をそれぞれ第一表示領域１０６、第二表示領域１０７及び第三表示領域１０８に表示する場合について述べたが、本発明はこれに限らず、例えばユーザの使用頻度が高い順番等、その他種々の規則に基づいて、複数の操作画面をそれぞれ第一表示領域１０６、第二表示領域１０７及び第三表示領域１０８に表示するようにしても良い。
【０１３５】
さらに上述の実施の形態においては、ＣＰＵ２０が、左方向キー１２及び右方向キー１３に対して長押操作が行われた際に、第二表示領域１０７及び第三表示領域１０８に表示中の操作画面を切替先操作画面として認識するようにしたが、本発明はこれに限らず、例えば左方向キー１２及び右方向キー１３に対して２回連続押下操作が行われる等、その他種々の操作が行われた際に、第二表示領域１０７及び第三表示領域１０８に表示中の操作画面を切替先操作画面として認識するようにしても良い。
【０１３６】
さらに上述の実施の形態においては、ＣＰＵ２０が、4つ目の操作画面を表示部７に表示する際、第三表示領域１０８に替えて５つのアイコン表示領域Ａ（０）〜Ａ（４）を設けるようにしたが、本発明はこれに限らず、第三表示領域１０８に替えて２つのアイコン表示領域を設ける等、アイコン表示領域を設ける数を変更しても良い。
【０１３７】
さらに上述の実施の形態においては、本発明を携帯型情報処理装置としての携帯電話機１に適用する場合について述べたが、本発明はこれに限らず、例えばＰＤＡ等、その他種々の携帯型情報処理装置に適用するようにしても良い。
【０１３８】
さらに上述の実施の形態においては、操作画面表示制御プログラムが予めインストールされている場合について述べたが、本発明はこれに限らず、操作画面表示制御プログラムの格納された例えばＣＤ−ＲＯＭ（Compact Disc Read Only Memory）、ＤＶＤ−ＲＯＭ（Digital Video Disc Read Only Memory）等のパッケージメディアでなるプログラム格納媒体を再生することにより操作画面表示制御プログラムをインストールしても良く、またプログラムが一時的若しくは永続的に格納される半導体メモリや光磁気ディスク等のプログラム格納媒体を再生することにより操作画面表示制御プログラムをインストールしても良い。
【０１３９】
これらのプログラム格納媒体に操作画面表示制御プログラムを格納する手段としてはローカルエリアネットワーク、ディジタル衛星放送等の有線及び無線通信媒体を利用しても良く、ルータやモデム等の各種通信インターフェースを介在させて格納するようにしても良い。
【０１４０】
【発明の効果】
上述のように本発明によれば、表示部の表示画面を分割することにより、主表示領域と、筐体上における所定の操作手段の配設場所と対応付けられた複数の副表示領域とからなる操作画面表示領域を生成した後、主表示領域及び複数の副表示領域に対して所定の規則に基づき各種機能に対応した複数の操作画面をそれぞれ表示し、所定の操作手段に対して行われた操作に応じて副表示領域に表示中の操作画面と主表示領域に表示中の操作画面とを切り替えて表示するようにしたことにより、ユーザは表示部に表示された複数の操作画面の中から次に利用を希望する機能の操作画面を容易に特定し得ると共に、直感的且つ簡易な操作で特定した操作画面と現在使用中の操作画面とを切替えることができ、かくして複数の機能を同時に利用可能とした上で操作画面を簡易な操作で切替え得る携帯型情報処理装置及び操作画面表示制御方法を実現することができる。
【図面の簡単な説明】
【図１】本発明の実施の形態における携帯電話機の外観構成を示す略線図である。
【図２】ジョグダイヤルの断面構造を示す略線図である。
【図３】携帯電話機の回路構成を示す略線図である。
【図４】待受け画面の全体構成を示す略線図である。
【図５】機能選択メニューボックスが表示された画面の様子（１）を示す略線図である。
【図６】操作画面表示領域を確保した画面の様子を示す略線図である。
【図７】１つの操作画面が表示された画面の様子を示す略線図である。
【図８】機能選択メニューボックスが表示された画面の様子（２）を示す略線図である。
【図９】第一表示領域、第二表示領域及び第三表示領域を確保した画面の様子を示す略線図である。
【図１０】２つの操作画面が表示された画面の様子（１）を示す略線図である。
【図１１】２つの操作画面が表示された画面の様子（２）を示す略線図である。
【図１２】機能選択メニューボックスが表示された画面の様子（３）を示す略線図である。
【図１３】３つの操作画面が表示された画面の様子（１）を示す略線図である。
【図１４】３つの操作画面が表示された画面の様子（２）を示す略線図である。
【図１５】３つの操作画面が表示された画面の様子（３）を示す略線図である。
【図１６】機能選択メニューボックスが表示された画面の様子（４）を示す略線図である。
【図１７】第一表示領域、第二表示領域及びアイコン表示領域を確保した画面の様子を示す略線図である。
【図１８】２つの操作画面及び２つのアイコンが表示された画面の様子（１）を示す略線図である。
【図１９】２つの操作画面及び２つのアイコンが表示された画面の様子（２）を示す略線図である。
【図２０】２つの操作画面及び２つのアイコンが表示された画面の様子（３）を示す略線図である。
【図２１】２つの操作画面及び２つのアイコンが表示された画面の様子（４）を示す略線図である。
【図２２】機能選択メニューボックスが表示された画面の様子（５）を示す略線図である。
【図２３】２つの操作画面及び３つのアイコンが表示された画面の様子（１）を示す略線図である。
【図２４】２つの操作画面及び３つのアイコンが表示された画面の様子（２）を示す略線図である。
【図２５】操作画面表示制御処理手順（１）を示すフローチャートである。
【図２６】操作画面表示制御処理手順（２）を示すフローチャートである。
【図２７】操作画面表示制御処理手順（３）を示すフローチャートである。
【図２８】操作画面表示制御処理手順（４）を示すフローチャートである。
【図２９】アイコン選択処理手順を示すフローチャートである。
【符号の説明】
１……携帯電話機、４……下側筐体、７……表示部、１１……ジョグダイヤル、１２……左方向キー、１３……右方向キー、１４……メニューキー、１５……終了キー、２０……ＣＰＵ、ＲＴ１……操作画面表示制御処理手順、ＳＲＴ２……アイコン選択処理手順。
【図１】
0003879980.tif 000002
【図２】
0003879980.tif 000003
【図３】
0003879980.tif 000004
【図４】
0003879980.tif 000005
【図５】
0003879980.tif 000006
【図６】
0003879980.tif 000007
【図７】
0003879980.tif 000008
【図８】
0003879980.tif 000009
【図９】
0003879980.tif 000010
【図１０】
0003879980.tif 000011
【図１１】
0003879980.tif 000012
【図１２】
0003879980.tif 000013
【図１３】
0003879980.tif 000014
【図１４】
0003879980.tif 000015
【図１５】
0003879980.tif 000016
【図１６】
0003879980.tif 000017
【図１７】
0003879980.tif 000018
【図１８】
0003879980.tif 000019
【図１９】
0003879980.tif 000020
【図２０】
0003879980.tif 000021
【図２１】
0003879980.tif 000022
【図２２】
0003879980.tif 000023
【図２３】
0003879980.tif 000024
【図２４】
0003879980.tif 000025
【図２５】
0003879980.tif 000026
【図２６】
0003879980.tif 000027
【図２７】
0003879980.tif 000028
【図２８】
0003879980.tif 000029
【図２９】
0003879980.tif 000030